(57)【特許請求の範囲】
【請求項１】
所定の記録容量を有するメディアに対して所定の電源電圧を供給する電源と、
前記メディアに対して制御信号を供給する信号送信部と、
前記電源から前記メディアに供給される電源電圧の状態を監視する電源監視部と、
前記電源電圧の状態の変化を検知すると、前記制御信号の供給を遮断し、当該制御信号の遮断後、前記所定の電源電圧の供給を遮断するとともに、前記メディアの電源端子に接続されたデカップリングコンデンサを前記メディアの電源端子から切り離すよう制御する制御部と、
を備えたことを特徴とする電源管理システム。
【請求項２】
前記メディアへの電源ラインにおける前記デカップリングコンデンサと前記メディアの電源端子との間に設けられる第１のリレーと、
前記信号送信部と前記メディアとの間に設けられる第２のリレーと、
を更に備え、
前記制御部は、まず、前記第２のリレーを制御して前記制御信号の供給を遮断し、その後、前記第１のリレーを制御して前記電源電圧の供給を遮断するとともに、前記デカップリングコンデンサを前記メディアの電源端子から切り離す制御を行う
ことを特徴とする請求項１記載の電源管理システム。
【請求項３】
前記電源監視部は、前記電源からメディアに供給される電圧値の変化を監視し、
前記制御部は、前記電源監視部に監視される電圧値の変化値が所定のしきい値以上となった場合、前記制御信号の供給を遮断し、当該制御信号の遮断後に、前記所定の電源電圧の供給を遮断するとともに、前記デカップリングコンデンサを前記メディアの電源端子から切り離す制御を行う
ことを特徴とする請求項１に記載の電源管理システム。
【請求項４】
前記第１のリレーは、その内部にグランド端子を有し、前記メディアの電源端子の接続を前記電源から前記グランド端子へと切り替えることにより、前記メディアの電圧を降下させることを特徴とする請求項２記載の電源管理システム。
【請求項５】
前記第１のリレーは、開放状態に切り替わると前記メディアの電源端子がグランドに接続される構成をとることにより、前記メディアの電圧を降下させることを特徴とする請求項２記載の電源管理システム。
【請求項６】
前記電源のオンオフを切り替える電源スイッチの状態を検知して、前記電源がオンまたはオフのいずれの状態であるかを表す信号を前記制御部に入力する検知部と、
を更に備え、
前記制御部は、前記検知部から入力される信号に基づき、前記電源電圧の状態の変化を検知することを特徴とする請求項１記載の電源管理システム。
【請求項７】
前記信号送信部を監視し、障害を検知した場合には、前記制御部に通知を行う通知部と、
を更に備え、
前記制御部は、前記通知部から通知を受けると、前記制御信号の前記メディアへの供給を遮断し、当該制御信号の遮断後に、前記所定の電源電圧の前記メディアへの供給を遮断するとともに、前記デカップリングコンデンサを前記メディアの電源端子から切り離す制御を行う
ことを特徴とする請求項１記載の電源管理システム。
【請求項８】
前記電源管理システムは、内視鏡システムに関わる電源を管理することを特徴とする請求項１記載の電源管理システム。
【発明の詳細な説明】
【技術分野】
【０００１】
本発明は、記録メディアに供給される電源電圧を管理する技術に関する。
【背景技術】
【０００２】
現在、ＳＤカード等の記録メディアは、各種の用途に広く使用されている。例えば、従来における内視鏡システムでは、内視鏡のスコープスイッチが押下されたタイミングで、内視鏡画像をビデオプロセッサ内の内部メディアに静止画記録するのが一般的である（例えば、特許文献１）。ＰＣカードやＳＤカード等の記録メディアを内視鏡画像の記録先とすることで、記録可能な回数等、医療器としての品質を一定レベルに保つことができる。ビデオプロセッサ内部の記録メディアに保存された内視鏡画像は、ユーザの操作にしたがって、外部接続されたＵＳＢ（Universal Serial Bus）メモリ等へ転送される。
【先行技術文献】
【特許文献】
【０００３】
【特許文献１】特開２００７−１７５４３０号公報
【発明の概要】
【発明が解決しようとする課題】
【０００４】
上記のとおり、外部に出力するまでの間一時的に内視鏡画像を保存しておくメディアは、ビデオプロセッサ内に固定配置されている。このため、メディアが破損した場合には、ユーザは、ビデオプロセッサを修理拠点に出して、修理拠点にてビデオプロセッサの分解及びメディアの交換を実施してもらう必要がある。このように、メディアが破損した場合であってもユーザが容易に交換をできるものではないことから、メディアの破損はできるだけ回避できることが望ましい。
【０００５】
しかし、従来技術に係る電源の管理方法では、メディアに供給される電源電圧を遮断する際にメディアが破損してしまう可能性もあった。すなわち、ユーザの操作によってビデオプロセッサの電源がオフに切り替えられた場合等には、メディアに供給されていた電源電圧についてもその供給が停止されることとなる。このとき、ビデオプロセッサ内のメディアの破損を防止するために、メディアに供給している電源電圧については、急峻に落とす必要がある。その一方で、メディアに供給される電源電圧を落とした後にＣＰＵ等からメディアに対して制御信号が入力された場合には、ラッチアップが発生し、メディアが破壊されてしまうこととなる。
【０００６】
そこで、メディアに供給される電源電圧を急峻に落としつつ、電源電圧の遮断後に制御信号がメディアに入力されてしまうことを回避することで、電源の管理方法によるメディアの破損をより効果的に防ぐことが可能となる。しかし、従来は、このような観点からメディアの電源を管理する技術は存在していなかった。
【０００７】
本発明は、メディアに供給される電源電圧の遮断を適切に管理することにより、メディアの破損を効果的に防止することのできる技術を提供することを目的とする。
【課題を解決するための手段】
【０００８】
本発明の一態様に係る電源管理システムによれば、所定の記録容量を有するメディアに
対して所定の電源電圧を供給する電源と、前記メディアに対して制御信号を供給する信号
送信部と、前記電源から前記メディアに供給される電源電圧の状態を監視する電源監視部
と、前記電源電圧の状態の変化を検知すると、前記制御信号の供給を遮断し、当該制御信
号の遮断後に、前記所定の電源電圧の供給を遮断するとともに、前記メディアの電源端子に接続されたデカップリングコンデンサを前記メディアの電源端子から切り離すよう制御する制御部と、を備えたことを特徴とする。
【発明の効果】
【０００９】
本発明によれば、メディアに供給される電源電圧の遮断が適切に管理され、これにより、メディアの破損を効果的に防止することが可能となる。
【図面の簡単な説明】
【００１０】
【図１】電源管理システムを適用した内視鏡システムの構成図である。
【図２】第１の実施形態に係る電源管理システムの構成を示す図である。
【図３】ビデオプロセッサの電源がオフに切り替わった際における電源管理に関する動作処理を示したフローチャートである。
【図４】第１の実施形態においてビデオプロセッサの電源がオンからオフに切り替わる際の各部のタイミングチャートを示す図である。
【図５】第１の実施形態に係る電源管理システムの変形例の構成を示す図である。
【図６】第２の実施形態に係る電源管理システムの構成を示す図である。
【図７】第２の実施形態においてビデオプロセッサの電源がオフに切り替わる際の各部のタイミングチャートを示す図である。
【図８】第３の実施形態に係る電源管理システムの構成を示す図である。
【発明を実施するための形態】
【００１１】
以下、本発明の実施の形態について、図面を参照して詳細に説明する。
本発明に係る電源管理システムは、ＳＤカード等の記録メディアをその内部に固定配置した各種の装置に適用が可能であるが、以下においては、内視鏡システムのビデオプロセッサに適用した場合を例に説明することとする。
【００１２】
図１は、本発明に係る電源管理システムを適用した内視鏡システムの構成図である。図１の内視鏡システム１００は、内視鏡ビデオプロセッサ（以下ビデオプロセッサと略記）１、観察モニタ２及び内視鏡３を含んで構成される。図１においては、本発明に関わる構成のみを記載し、他の装置については記載を省略している。
【００１３】
ビデオプロセッサ１は、絶縁分離ユニット６、画像処理ユニット４、制御ユニット５、電源ユニット７及びＡＣ電源８を内部に備える。ビデオプロセッサ１は、内視鏡３にて被検体の体腔内を撮像して得られた映像信号に対して必要な画像処理を施し、画像データを得る。ビデオプロセッサ１は、得られた画像データのうち、動画像データについては観察モニタ２に表示させ、静止画像データについては、ビデオプロセッサ１内に記録する等の処理を実施する。
【００１４】
ビデオプロセッサ１を構成する各部のうち、絶縁分離ユニット６は、その絶縁分離回路６１により、ビデオプロセッサ１と患者等の被検体内に挿入される内視鏡３とを電気的に絶縁する。
【００１５】
内視鏡３から入力された映像信号は、ビデオプロセッサ１にてＡ／Ｄ変換されて画像処理ユニット４に入力される。画像処理ユニット４は、画像処理回路４１や画像出力回路４２を含んで構成される。画像処理回路４１は、γ変換やエンハンス処理等の各種の画像処理を実施する。画像出力回路４２は、画像処理回路４１にて画像処理を施して得られた内視鏡映像のデータに文字情報等を重畳させて観察モニタ２に表示させる動画像のデータを生成し、観察モニタ２に向けて生成した動画像のデータを出力する。
【００１６】
制御ユニット５は、術者が内視鏡３のスコープスイッチ３１を操作して画像のレリーズを指示すると、これにしたがって、画像処理ユニット４の画像処理回路４１で生成される動画像データの中から静止画像データを切り出して、これをビデオプロセッサ１内に一時的に記録する。このうち、キャプチャ回路５１は、レリーズのタイミングに応じたフレーム画像をキャプチャする。キャプチャされたフレーム画像のデータは、ＳＤカード５３に保存される。制御回路５２は、キャプチャ回路５１でキャプチャした画像データのＳＤカード５３への保存や、例えば内視鏡検査の終了後にＳＤカード５３から画像データの読み出し及び読み出した画像データのＵＳＢメモリ５０等の外部接続されたメディアへの転送等の処理を制御する。
【００１７】
ＡＣ電源８は、ビデオプロセッサ１を構成する各ユニットに対して電力を供給する。電源ユニット７は、電源スイッチ９の操作等によりビデオプロセッサ１の電源のオン／オフ状態を検知して、ＡＣ電源８から供給される電力を各ユニットに対して供給する。
【００１８】
本発明に係る電源管理システムは、制御ユニット５の記録メディアであるＳＤカード５３の電源をオフにする処理動作を制御する。この制御は、電源管理システムが、例えば、ＳＤカード５３に供給される電源電圧の変化より、あるいはビデオプロセッサ１の筐体に設けられた電源スイッチ９の操作より、ビデオプロセッサ１の電源がオンからオフに切り替えられたことを検知すると実施される。以下に、各実施形態について、具体的に説明する。
【００１９】
＜第１の実施形態＞
図２は、本実施形態に係る電源管理システムの構成を示す図である。図２においては、ビデオプロセッサ１内の構成のうち、ＳＤカード５３の電源遮断の処理に関わる構成のみを記載している。図２を参照して、本実施形態に係る電源管理システムによるＳＤカード５３の電源電圧の遮断方法について説明する。
【００２０】
図２のＳＤカード５３及びＣＰＵ１１は、ＡＣ電源８から供給される交流電源を直流に変換して得られる５［Ｖ］の直流電圧を３．３［Ｖ］に変換するＤＣＤＣコンバータ１５を介して電源電圧の供給を受ける。なお、３．３［Ｖ］に変換された電源電圧の供給先のうち、図２においては、電源管理システムの動作に関わる構成のみを例示している。
【００２１】
ＣＰＵ１１及びＳＤカード５３の近傍には、それぞれＣＰＵ用のデカップリングコンデンサ１７及びＳＤカード用のデカップリングコンデンサ１８が設けられている。デカップリングコンデンサ１７、１８により、それぞれＣＰＵ１１やＳＤカード５３に供給される電源電圧の変動が抑制される。デカップリングコンデンサ１７、１８は、近年の回路規模の肥大化やＬＳＩ（Large Scale Integration）の高速化、高性能化により、大容量化してきている。
【００２２】
本実施形態に係る電源管理システムは、電源監視部１６、シーケンサ１４、第１のリレー１９及び第２のリレー２０を含んで構成され、ＳＤカード５３に供給される電源電圧を管理する。
【００２３】
具体的には、電源監視部１６は、図１の電源ユニット７から供給される５［Ｖ］の電源電圧を監視し、電圧降下によりビデオプロセッサ１の電源がオンからオフに切り替えられたことを検知する。電源監視部１６は、ビデオプロセッサ１の電源がオフに切り替えられたことを検知すると、シーケンサ１４に通知を行う。
【００２４】
シーケンサ１４は、電源監視部１６から通知があった場合は、第１のリレー１９と第２のリレー２０とを制御して、ＳＤカード５３の電源電圧を立ち下げさせる。第１のリレー１９は、ＳＤカード５３に電源電圧を供給する配電線上に設けられる電源リレーである。具体的には、ＳＤカード５３とＳＤカード用のデカップリングコンデンサ１８との間に設けられる。第２のリレー２０は、ＣＰＵ１１からＳＤカード５３に制御信号を送信するデータバス１２上に設けられるバススイッチである。シーケンサ１４による第１及び第２のリレー１９、２０のより具体的な制御方法について、図３を参照して説明する。
【００２５】
図３は、ビデオプロセッサ１の電源がオフに切り替わった際における電源管理に関する動作処理を示したフローチャートである。ここでは、図２と同様に、ビデオプロセッサ１の構成として、ＳＤカード５３以外の構成として、ＣＰＵ１１を挙げて説明する。
【００２６】
まず、ステップＳ１で、電源ユニット７においてビデオプロセッサ１の電源がオフに切り替えられたことを認識すると、ステップＳ２で、電源管理システムの電源監視部１６が、電圧値を監視する。電圧値の変化値が所定のしきい値以上となると、すなわち、電圧値が所定の値以下になると、シーケンサ１４に通知を行う。
【００２７】
ステップＳ３では、電源監視部１６から通知を受けたシーケンサ１４が、まず、第２のリレー２０を動作させて、ＳＤカード５３のデータバス１２をＣＰＵ１１から切り離す。次に、ステップＳ４で、シーケンサ１４は、第１のリレー１９を動作させて、ＳＤカード電源端子１３をデカップリングコンデンサ１８から切り離して、ＳＤカード５３に供給されている電源電圧を遮断する。
【００２８】
最後に、ステップＳ５では、電源ユニット７が、ＣＰＵ１１に供給されている電源電圧を遮断し、処理を終了する。
図４は、本実施形態においてビデオプロセッサ１の電源がオンからオフに切り替わる際の各部のタイミングチャートを示す図である。
【００２９】
図４に示すように、電源の出力の降下が開始して、所定のしきい値（図４の「電源監視電圧」がこれに相当）以下になると、まず、第２のリレー２０によりデータバス１２がＣＰＵ１１から切り離される。その後、所定の期間（＊）の経過後、第１のリレー１９によりＳＤカード５３とデカップリングキャパシタ１８とが切り離されることで、ＳＤカード５３の電源電圧の値は、３．３［Ｖ］から０［Ｖ］に急峻に立ち下げられることとなる。
【００３０】
実施例では、上記の所定の期間（＊）を設けるために、第１及び第２のリレー１９、２０として、それぞれの動作時間が相対的に遅いものと早いものを使用している。かかる構成においては、シーケンサ１４は、電源監視部１６からの通知を受けて、同時に第１及び第２のリレー１９、２０に指令を出す。リレーの動作時間の違いにより、先に第２のリレー２０が「開放」状態へと切り替わり、所定の期間（＊）の経過後に、第１のリレー１９により、ＳＤカード５３の電源端子は第１のリレー１９内のグランド端子側と接続されることとなる。
【００３１】
但し、本実施形態はかかる構成に限定されるものではない。例えば、シーケンサ１４が、まず先に第２のリレー２０に開放状態へと切り替えるよう指令を出し、第２のリレー２０が開放状態に切り替えられてから所定の期間（＊）の経過後に第１のリレー１９が接地へと切り替えを行うよう指令を出すこととしてもよい。このように、シーケンサ１４がタイミングを制御することによっても、同様に図４の所定の期間（＊）を設けることができる。
【００３２】
ＳＤカード５３以外の構成、すなわち、設例ではＣＰＵ１１の電圧に関しては、デカップリングコンデンサ１７が設けられているため、その後ゆっくりと０［Ｖ］へと落ちていくこととなる。
【００３３】
このように、本実施形態に係る電源管理システムによれば、ＳＤカード５３に供給されている電源電圧の遮断には、第１のリレー１９を用いる。第１のリレー１９でＳＤカード５３とＳＤカード用のデカップリングコンデンサ１８とを切り離してＳＤカード５３の電圧をグランドに引き下げる構成とすることで、ＳＤカード５３に供給される電源電圧を急峻にたち下げることが可能となる。これにより、ＳＤカード５３の破損を効果的に防止する。更には、第１のリレー１９を用いてＳＤカード５３に供給される電源電圧を遮断するより先に、第２のリレー２０を用いて、データバス１２をＣＰＵ１１から切り離している。第２のリレー２０が動作してから第１のリレー１９が動作するまでの間には、十分な期間（図４の期間（＊））を設けている。電源電圧の遮断後にＳＤカード５３にＣＰＵ１１からの制御信号が入力された場合には、ラッチアップが発生し、ＳＤカード５３が破損してしまう。しかし、上記の順序で第１及び第２のリレー１９、２０を動作させてＳＤカード５３の電源をオフにすることで、かかる事態の発生を効果的に防ぐことができる。
【００３４】
なお、上記の実施形態では、電源監視部１６は、５．５［Ｖ］の電源電圧を監視する構成であるが、これに限定されるものではなく、ＳＤカード５３やＣＰＵ１１に供給される３．３［Ｖ］を監視する構成としてもよい。
【００３５】
また、上記の実施形態においてはシーケンサ１４により２つのリレー１９、２０の制御を行っているが、これには限定されない。例えば、電源リレーである第１のリレー１９と、バススイッチである第２のリレー２０との動作速度差により図３や図４に示すシーケンスを作り出す構成とすることも可能である。
【００３６】
＜第１の実施形態の変形例＞
図５は、上記第１の実施形態に係る電源管理システムの変形例の構成を示す図である。本変形例では、第１のリレー１９の構造が図２のそれと異なっている。
図２の第１のリレー１９は、リレー内部にてＳＤカード５３の電源端子をグランド側に接続させる構造をとる。
【００３７】
これに対し、図５に示す本変形例においては、第１のリレー１９が開放状態に切り替わると、ＳＤカード５３は、デカップリングコンデンサ１８と切り離されてその電源端子１３はグランドに接続される。これにより、ＳＤカード５３は、抵抗２１を通して強制的に放電し、その電圧は、急峻に０［Ｖ］に落ちることとなる。第１のリレー１９がこのような構成をとる場合であっても、上記の実施形態と同様の効果を得る。
【００３８】
更には、図５に示す構造の第１のリレー１９は、図２のそれと比較すると、より簡易な構造のリレーを使用している。このため、より安価なリレーで電源管理システムを製造することができ、引いては、ビデオプロセッサ１のコストダウンを図ることができる。
【００３９】
また、図２の構造では、第１のリレー１９の２つの接点間で切り替えを行うのに、図５の構造と比べて相対的に時間を要することとなる。図５の構造の第１のリレー１９では、スイッチを開放させたタイミングから、ＳＤカード５３の電圧は、抵抗２１を介してグランドへと引き下げられるため、より急峻にＳＤカード５３の電源電圧を立ち下げることが可能となる。
【００４０】
なお、図５は、本変形例に係る電源管理システムの構成を例示するものであり、これには限定されない。例えば、抵抗２１等の受動部品ではなく、トランジスタ等の能動部品を用いる構成とすることもできる。
【００４１】
＜第２の実施形態＞
上記の第１の実施形態においては、電源電圧を監視して、電圧値が所定のしきい値以下となった場合に、ビデオプロセッサ１の電源がオフに切り替えられたと判断して、電源管理システムが、上記のＳＤカード５３の電源をオフにするための一連の制御を開始している。これに対し、本実施形態においては、図１のビデオプロセッサ１の電源スイッチ９の状態を監視して、これに基づきビデオプロセッサ１の電源がオフに切り替えられたと判断して、ＳＤカード５３の電源をオフにするための制御を開始する。
【００４２】
以下に、本実施形態に係る電源管理システムについて、上記の実施形態と異なる点を中心に説明する。
図６は、本実施形態に係る電源管理システムの構成を示す図である。図６においては、ビデオプロセッサ１内の構成のうち、ＳＤカード５３の電源遮断の処理に関わる構成のみを記載している点については、図２や図５と同様である。
【００４３】
本実施形態に係る電源管理システムは、電源スイッチ状態検知部７３、シーケンサ１４、第１のリレー１９及び第２のリレー２０を含んで構成される。シーケンサ１４、第１のリレー１９及び第２のリレー２０については、第１の実施形態と同様であり、電源スイッチ状態検知部７３が設けられている点で異なる。電源スイッチ状態検知部７３は、スイッチング電源７１内に設けられる。
【００４４】
スイッチング電源７１は、電源スイッチ状態検知部７３にてユーザにより電源スイッチ９が操作されたことを検知した場合は、これに応じて電源回路７２から各部へと電力の供給を開始または停止させる。
【００４５】
電源スイッチ９は、プッシュ式のスイッチで構成され、ユーザの操作によって押し込まれることで、電源が入る。これと同時に、電源スイッチ状態検知部７３は、リレーで構成され、電源スイッチ９が押し込まれることで、リレーの結線が切り替わる。電源がオフであるときは、シーケンサ１４はグランド側に接続された状態である。電源がオンに切り替わると、シーケンサ１４は、電源スイッチ状態検知部７３を通して電源回路７２と接続された状態に切り替わる。
【００４６】
このように、本実施形態に係る電源管理システムにおいては、メインの電源回路７２のリレーがオンに切り替わると、同時に電源スイッチ９の状態を監視する監視用のリレーについてもオンに切り替わる構成をとる。
【００４７】
電源スイッチ状態検知部７３は、シーケンサ１４に対して電源スイッチオン／オフ信号を出力する。電源スイッチ９がオフからオンに切り替えられると、信号はＬｏｗからＨｉへと切り替わり、オンからオフに切り替えられると、信号はＨｉからＬｏｗへと切り替わる。シーケンサ１４は、電源スイッチオン／オフ信号がＨｉからＬｏｗへと切り替わると、電源回路７２からＳＤカード５３に供給される電源電圧の状態に変化があったとして、第１及び第２のリレー１９、２０の制御を開始する。具体的な動作処理については、上記の実施形態においては図３のステップＳ２で電源電圧を監視しているのに対し、本実施形態においては電源スイッチオン／オフ信号を監視している点以外については、図３に示すとおりであり、上記の実施形態と同様である。
【００４８】
なお、図６においては、第１のリレー１９の外部に抵抗２１を設けてＳＤカード５３を接地させる構成を記載しているが、第１のリレー１９としては、図２に示す構成を採用してもよい。
【００４９】
図７は、本実施形態においてビデオプロセッサ１の電源がオフに切り替わる際の各部のタイミングチャートを示す図である。
図４のタイミングチャートと比較すると、本実施形態においては、電源スイッチ状態検知部７３にて電源スイッチ９がオフに切り替えられたことを検知したことを契機として電源管理システムが動作を開始する。
【００５０】
ここで、図６に示すように、スイッチング電源７１の出力部には、デカップリングコンデンサ７４が設けられている。デカップリングコンデンサ７４は、スイッチング電源７１から出力される電圧の変動を抑えるため、容量の大きいコンデンサを使用している。このため、図７に示すように、電源スイッチ９がオフに切り替えられた後も、デカップリングコンデンサ７４に蓄えられた電力により５［Ｖ］の電源電圧はしばらくの間は降下しない。
【００５１】
すなわち、上記の実施形態と比較すると、電源がオンからオフに切り替えられたことをより早く検出することができるため、電源管理システムが上記の動作を実行するための期間を相対的に長く確保できる。したがって、本実施形態に係る電源管理システムによれば、ＣＰＵ１１の電源の立ち下がりが早い（図７の期間（＊＊）が短い）場合であっても、ＳＤカード５３のバスライン１２が確実に切り離されてからＳＤカード５３の電源を落とすことができる。これにより、より確実にＳＤカード５３の破損を防止することが可能となる。
【００５２】
＜第３の実施形態＞
上記の第１及び第２の実施形態は、ビデオプロセッサ１の電源がオンからオフに切り替わったことを検知すると、ＳＤカード５３の電源管理を開始する。これに対し、本実施形態は、ＳＤカード５３にアクセスするＣＰＵ１１やＳＤカード５３自体の状態に基づきＳＤカード５３の電源管理を開始する点で異なる。
【００５３】
以下に、本実施形態に係る電源管理システムについて、上記の実施形態と異なる点を中心に説明する。
図８は、本実施形態に係る電源管理システムの構成を示す図である。図２、図５及び図６と同様に、図８においては、ビデオプロセッサ１内の構成のうち、ＳＤカード５３の電源遮断の処理に関わる構成のみを記載している。
【００５４】
本実施形態に係る電源管理システムは、ウオッチドッグタイマ２２を更に備えている点で上記の第１及び第２の実施形態と異なる。但し、図８においては、電源スイッチ９の状態を監視することによりビデオプロセッサ１の電源がオンからオフに切り替わったことを検知する構成を記載するが、これには限定されない。図２や図５のように、電源監視部１６にて電源電圧を監視する構成をとってもよい。
【００５５】
ウオッチドッグタイマ２２は、ＣＰＵ１１の監視を行い、ＣＰＵ１１が暴走すると、これを検知して、シーケンサ１４に通知を行う。シーケンサ１４は、ウオッチドッグタイマ２２から通知を受けた場合には、上記の第１及び第２の実施形態と同様に、第１及び第２のリレー１９、２０に指令を出してそれぞれを動作させる。ＣＰＵ１１が暴走しているときに不用意にＳＤカード５３にアクセスした場合には、ＳＤカード５３に保存されているデータファイルが破壊されてしまう可能性があるが、これを未然に防止する。
【００５６】
また、ＳＤカード５３が動作不良等になった場合には、ＣＰＵ１１がこれを検知して、シーケンサ１４に通知を行う。この場合も、シーケンサ１４は、同様に第１の第２のリレー１９、２０に指令を出し、上記の方法によりＳＤカード５３の電源をオフにする。その後、シーケンサ１４は、再度第１及び第２のリレー１９、２０に指令を出し、それぞれデカップリングコンデンサ１８及びデータバス１２をＳＤカード５３と接続させて、ＳＤカード５３の電源をオンにするよう制御を行う。
【００５７】
ビデオプロセッサ１内に設けられるＳＤカード５３は、リセット端子を持たないのが一般的である。このため、従来においては、ＳＤカード５３の動作不良を解消するには、ビデオプロセッサ１自体を再起動する必要があった。その一方で、内視鏡画像の観察モニタ２への表示が中断することとなるため、内視鏡検査中にはビデオプロセッサ１を再起動させることができない。しかし、本実施形態によれば、内視鏡検査中にＳＤカード５３が動作不良となった場合等であっても、ビデオプロセッサ１を再起動させることなく、ＳＤカード５３のみをリセットすることができる。
【００５８】
なお、上記においては、内視鏡システム１００のビデオプロセッサ１に電源管理システムを設けて、ビデオプロセッサ１の電源がオンからオフに切り替わる際のビデオプロセッサ１内に固定配置されているＳＤカード５３の電源を管理する方法について説明している。しかし、上記のＳＤカード５３の電源を管理する方法は、ＳＤカード５３等の記録メディアを内部に備える装置（上記の説明においてはビデオプロセッサ１）の電源がオフに切り替わった場合以外に適用することも可能である。例えば、ＳＤカード５３を備える装置がスリープモードに移行するときや、装置のバッテリレベルが低下したときに適用することも可能である。
【００５９】
スリープモード移行時の電源管理については、ＣＰＵ１１がシーケンサ１４に通知を行うことで実現できる。バッテリレベルが低下した場合については、第１の実施形態またはその変形例に係る構成をとる電源管理システムであれば、電源監視部１６が監視する電圧値が所定の値以下になると、電源監視部１６がシーケンサ１４に通知を行うことで実現できる。
【００６０】
本発明は、上述した実施形態そのままに限定されるものではく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。更に、異なる実施形態にわたる構成要素を適宜組み合わせてもよい。このような、発明の趣旨を逸脱しない範囲内において種々の変形や応用が可能であることはもちろんである。
【符号の説明】
【００６１】
１      内視鏡ビデオプロセッサ
２      観察モニタ
３      内視鏡
１１    ＣＰＵ
１２    データバス
１４    シーケンサ
１６    電源監視部
１８    ＳＤカード用デカップリングコンデンサ
１９    第１のリレー
２０    第２のリレー
５３    ＳＤカード
７３    電源スイッチ状態検知部
１００  内視鏡システム
【図１】
0006470092.tif 000002
【図２】
0006470092.tif 000003
【図３】
0006470092.tif 000004
【図４】
0006470092.tif 000005
【図５】
0006470092.tif 000006
【図６】
0006470092.tif 000007
【図７】
0006470092.tif 000008
【図８】
0006470092.tif 000009